(57)【要約】【課題】物干し竿として利用でき、且つ衛生面に優れた握りバーを提供することである。【解決手段】シャワーフック３がスライド可能に取り付けられおり、懸垂部材４と支持部材５とを介して浴室３０の壁３１面に設置される握りバー１において、シャワーフック３は回転機構を有し、握りバー１の内部に延長バー６を有し、懸垂部材４は握りバー１の上端部２ａを回動可能に懸垂し、支持部材５は握りバー１の下端部２ｂを着脱可能に支持しており、握りバー１の下端部２ｂを支持部材５から取り外し、握りバー１内から延長バー６の一部を取り出して浴室３０内を横断させると、物干しバー２０に成る。【選択図】図２
2012067507.tif 000002
【特許請求の範囲】
【請求項１】
シャワーフックがスライド可能に取り付けられおり、懸垂部材と支持部材とを介して浴室の壁面に設置される握りバーにおいて、シャワーフックは回転機構を有し、握りバーの内部に延長バーを有し、前記懸垂部材は握りバーの上端を回動可能に懸垂し、前記支持部材は握りバーの下端を着脱可能に支持しており、握りバーの下端を支持部材から取り外し、握りバー内から延長バーの一部を取り出して浴室内を横断させると、物干しバーに成ることを特徴とする握りバー。
【発明の詳細な説明】
【技術分野】
【０００１】
本発明は、握りバーに関し、さらに詳細には、浴室の壁面に設置される握りバーに関する。本発明の握りバーは、物干し竿として利用でき、且つ衛生面に優れたものである。
【背景技術】
【０００２】
浴室内において、使用者の転倒防止を目的として、手すりや握りバーを設置する等、様々な工夫が施されている。また、乾燥機能を備えた空調装置と物干し竿を用いて、浴室を乾燥室として利用することが知られている。
【０００３】
特許文献１には、握りバーとして使用可能な長尺状の棒状部材を、水平状態にすることで物干し竿として使用可能な構成が開示されている。この構成により、収納場所が問題となっていた物干し竿を、違和感なく浴室内に設置可能としている。
【先行技術文献】
【特許文献】
【０００４】
【特許文献１】特開２００１−１２３６８３号公報
【発明の概要】
【発明が解決しようとする課題】
【０００５】
ところが、特許文献１に記載の棒状部材では、長尺状の棒状部材が浴槽に当接している。そのため、浴槽に接した棒状部材の端部から、棒状部材の全体にカビが拡がる恐れがある。
【０００６】
また、特許文献１に記載の棒状部材を物干し竿として使用する場合には、棒状部材に取り付けられているシャワーヘッドを棒状部材から取り外す必要がある。これは、棒状部材に取り付けられたシャワーフックが、縦から横へと姿勢を変えることによって、シャワーヘッドを支持できなくなるためである。
【０００７】
さらに、重量物を干す等、物干し竿（棒状部材）を支持棒で補強する際には、シャワーフックが支持棒との連結部として機能する。そのため、洗濯物を干す度に、シャワーヘッドを取り外す必要があり、手間が掛かる。また、取り外したシャワーヘッドは、床に置かれることによってカビが生じる恐れがあり、不衛生である。
【０００８】
そこで、本発明は、物干し竿として利用でき、且つ衛生面に優れた握りバーの提供を目的とする。
【課題を解決するための手段】
【０００９】
上記課題を解決するための請求項１に記載の発明は、シャワーフックがスライド可能に取り付けられおり、懸垂部材と支持部材とを介して浴室の壁面に設置される握りバーにおいて、シャワーフックは回転機構を有し、握りバーの内部に延長バーを有し、前記懸垂部材は握りバーの上端を回動可能に懸垂し、前記支持部材は握りバーの下端を着脱可能に支持しており、握りバーの下端を支持部材から取り外し、握りバー内から延長バーの一部を取り出して浴室内を横断させると、物干しバーに成ることを特徴とする握りバーである。
【００１０】
浴室の壁面に設置された握りバーは、床面から浮いた状態にあり、衛生面に優れている。ところが、床面から浮いた状態の握りバーは、長さが短く、物干しバーとして機能しないという問題がある。
【００１１】
本発明の握りバーでは、握りバーの内部に延長バーを有し、握りバー内から延長バーの一部を取り出すことができるため、物干しバーとして十分な長さを確保できる。
【００１２】
また、握りバーにスライド可能に取り付けられたシャワーフックは、回転機構を有している。そのため、握りバーが懸垂された状態から横断する状態へと変化した際に、シャワーフックはその姿勢を維持することができる。つまり、シャワーフックにシャワーヘッドを装着したまま、握りバーを鉛直方向から水平方向へと変化させることができる。
【発明の効果】
【００１３】
本発明の握りバーによれば、物干し竿として利用でき、且つ衛生面に優れている。
【図面の簡単な説明】
【００１４】
【図１】本発明の実施形態に係る握りバーを示す図であり、（ａ）は正面図、（ｂ）は側面図である。
【図２】図１の握りバーが物干しバーと成った状態を示す側面図である。
【図３】本発明の実施形態の変形例に係る握りバーを示す側面図であり、左右に設けられた握りバー同士が連結して物干しバーと成った状態を示す。
【発明を実施するための形態】
【００１５】
以下では、本発明の握りバーの実施形態について、図面を参照しながら詳細に説明する。なお、以下の説明は、実施形態の理解を容易にするためのものであり、これによって、本発明が制限して理解されるべきではない。
【００１６】
図１（ａ）に示す握りバー１は、浴室３０内の壁３１に取り付けられている。握りバー１は、本体２と、シャワーフック３と、懸垂部材４と、支持部材５とを有している。
【００１７】
本体２は、長尺状の管状部材である。本体２は、図１（ｂ）に示すように、延長バー６を内蔵している。延長バー６も本体２と同様に管状部材である。延長バー６は、抜け止め用の係止栓６ａと、先端カバー６ｂとを有している。
【００１８】
シャワーフック３は、スライド部３ａと、支持部３ｂと、ベアリング３ｃ（回転機構）とを有している。
【００１９】
スライド部３ａは、筒状部材である。スライド部３ａは、図１（ａ），１（ｂ）において、本体２の上下方向にスライド可能に取り付けられている。
【００２０】
支持部３ｂは、シャワーヘッド１０を支持するためのフックそのものである。支持部３ｂは、ベアリング３ｃ（回転機構）を介してスライド部３ａに回転可能に取り付けられている。なお、ベアリング３ｃは、自在軸継手等であっても構わない。
【００２１】
すなわち、シャワーヘッド１０は、シャワーフック３を介して本体２にスライド且つ回転可能に取り付けられている。つまり、シャワーフック３と本体２とは、いわゆるスライドバーとして機能している。
【００２２】
懸垂部材４は、本体２を回動可能に懸垂するための接続部材である。懸垂部材４として、例えばクレビスを用いることが好ましい。懸垂部材４には、ピン７を介して本体２の上端部２ａが取り付けられている。懸垂部材４は、浴室３０の壁３１に固定されている。
【００２３】
支持部材５は、本体２を支持するための接続部材である。支持部材５は、カップリング５ａを有している。支持部材５には、カップリング５ａを介して本体２の下端部２ｂが取り付けられている。カップリング５ａを回して緩めると、支持部材５から下端部２ｂを取り外すことができる。支持部材５は、浴室３０の壁３１に固定されている。
【００２４】
図１（ｂ）に示した握りバー１において、支持部材５から本体２の下端部２ｂを取り外し、本体２の下端部２ｂから延長バー６の一部を取り出す。その状態のまま、懸垂部材４を支点として握りバー１が水平となるように本体２等を回動させると、握りバー１は図２に示す姿勢へと変化する。
【００２５】
図２は、握りバー１が浴室３０内を横断した状態を示している。延長バー６の先端カバー６ｂは、浴室３０の壁３２に設けられた受け具８で支持されている。すなわち、本体２と延長バー６とによって、物干しバー２０を構成している。
【００２６】
この状態において、シャワーヘッド１０は、鉛直方向に沿っている。つまり、シャワーヘッド１０は、握りバー１が物干しバー２０へと変化する前の図１（ａ），１（ｂ）の姿勢を保持している。これは、シャワーフック３がベアリング３ｃを有しているためである。
【００２７】
なお、受け具８の代わりに、壁３２に窪み等を設け、それを用いても良い。或いは、受け具８や窪み等を用いずに、延長バー６を壁３２に押し付け、押し付け力によって、物干しバー２０を水平に保持させる構成としても構わない。
【００２８】
図３は、本発明の実施形態の変形例に係る物干しバー５０を示している。物干しバー５０は、浴室３０の壁３１，３２に各々設けられた握りバー４０の延長バー６同士を、カップリング５１で接続したものである。物干しバー５０のように、左右の両側に握りバー１を設ける構成とすることにより、握りバー４０の長さを握りバー１よりも短くすることができる。そのため、握りバー４０の取り回しが容易となり、物干しバー５０への変形をスムーズに行うことができる。なお、握りバー４０において、握りバー１と同一の構成部材については、同じ符号で表した。
【００２９】
前述の物干しバー２０及び５０については、懸垂部材４と支持部材５とが、浴室３０の壁３１又は３２に固定される例を示したが、本発明はこれに限定されるものではない。例えば、懸垂部材４と支持部材５とを図示しない昇降装置で、昇降可能としても構わない。懸垂部材４と支持部材５とを昇降可能とすることにより、物干しバー２０及び５０の高さを自在に調整できる。さらに、同様の構成により、握りバー１及び４０の高さについても、自在に調整できる。なお、図示しない昇降装置は、図示しない制御装置及び壁面スイッチ等で制御可能である。
【符号の説明】
【００３０】
１，４０    握りバー
２ａ    上端部
２ｂ    下端部
３    シャワーフック
４    懸垂部材
５    支持部材
６    延長バー
２０，５０    物干しバー
３０    浴室
３１，３２    壁
【図１】
2012067507.tif 000003
【図２】
2012067507.tif 000004
【図３】
2012067507.tif 000005